(57)【要約】【課題】  本考案は、肌への影響を最小限に抑えることができることに加え、ツッパリ感等の違和感なく貼ることができ、肌に馴染んで見え、非常に鮮やかな色彩を放つことができ、インク臭さも無く、かつ、低廉に製作が可能なフェイスペイントシールを提供することを目的とする。【解決手段】  本考案に係るフェイスペイントシール１は、救急絆創膏用の基材２を使用したものであって、基材２の表面には印刷が施されており、基材２の裏面には救急絆創膏用の粘着剤５が塗布されており、基材２の表面に施された印刷において、基材２側に白色印刷層３が存在し、白色印刷層３の上に、カラー印刷層４、さらに透明コート層７が存在しており、塗布された粘着剤５の上に剥離紙６が貼付されていることを特徴としている。【選択図】図２
0003223808.tif 000002
【実用新案登録請求の範囲】
【請求項１】
救急絆創膏用の基材を使用したフェイスペイントシールであって、前記基材の表面には印刷が施されており、前記基材の裏面には救急絆創膏用の粘着剤が塗布されており、
前記基材の表面に施された印刷において、前記基材側に白色印刷層が存在し、当該白色印刷層の上に、カラー印刷層が存在しており、
前記塗布された粘着剤の上に剥離紙が貼付されていることを特徴とするフェイスペイントシール。
【請求項２】
前記基材の表面において、光反射抑制処理が施されていることを特徴とする、請求項１に記載のフェイスペイントシール。
【請求項３】
前記白色印刷層及び前記カラー印刷層双方の外縁すべてが、前記基材の外縁よりも、少なくとも１ｍｍ以上は内側に存在していることを特徴とする、請求項１又は請求項２に記載のフェイスペイントシール。
【考案の詳細な説明】
【技術分野】
【０００１】
本考案は、文字や絵等が表面に印刷されたシールを、フェイスペイントの代わりに使用することを目的として製造・販売等されるフェイスペイントシールに関するものである。
【背景技術】
【０００２】
スポーツやコンサート等のイベントを盛り上げるツールの一つとして、顔や腕等の肌の露出部分において、文字や絵等を絵の具でペイントするフェイスペイントと呼ばれる行為が知られている。そして、このフェイスペイントを代替することができるツールとして、フェイスペイントシールというものも知られている。フェイスペイントは、絵等を描く技量を持った人が必要で、同じものを描くのにも時間が掛かる上、使用後の肌からの除去に手間も掛かるという問題が有ることから、誰もが気軽にフェイスペイントを楽しむことができるフェイスペイントシールが広く普及するようになってきている。
【０００３】
しかしながら、フェイスペイントシールを使用する場合であっても、フェイスペイントシールは、肌に直接貼付されるため、肌への影響は最大限に考慮する必要がある。特に、シールに使用される粘着剤の中には、肌に悪影響を及ぼす物質が含まれているものも有り、取り分けて注意が必要となっている。また、水を使用して粘着力を高めるタイプの粘着剤が使用されているものは、シールを水で濡らすという手間が必要となる上、粘着力が強いため、シールを剥がす際に、肌を非常に傷めやすいという欠点を有している。
【０００４】
なお、上述した肌への悪影響を解消するため、フェイスペイントシールの粘着剤に、医療用のものを使用する製品も存在はしていたが、肌への影響の不安を完全に払拭することはできていなかった。
【０００５】
本願考案者は、このような実情のもと、従来の課題を解決できるようなフェイスペイントシールについて鋭意検討を重ねた。その結果、本願考案者は、フェイスペイントシールの粘着剤だけでなく、その基材についても、救急絆創膏用のものを使用することで、以上に述べたような従来の課題を解決できる製品を得られるという知見を得、本考案を創作するに至った。
【０００６】
なお、本考案に係るフェイスペイントシールは、昨今のデジタル化により得られるシール製品が有する利点も当然に享受することができる。このような利点とは、写真等の精緻な画像も再現性高く綺麗にプリントできること、多品種少量の要望にも容易に応えられること、版代や型代が不要で初期費用が掛からないこと等である。
【考案の概要】
【考案が解決しようとする課題】
【０００７】
本考案は、肌への影響を最小限に抑えることができることに加え、ツッパリ感等の違和感なく貼ることができ、肌に馴染んで見え、非常に鮮やかな色彩を放つことができ、インク臭さも無く、かつ、低廉に製作が可能なフェイスペイントシールを提供することを目的とする。
【課題を解決するための手段】
【０００８】
そのための手段として、本考案に係るフェイスペイントシールは、救急絆創膏用の基材を使用したものであって、前記基材の表面には印刷が施されており、前記基材の裏面には救急絆創膏用の粘着剤が塗布されており、前記基材の表面に施された印刷において、前記基材側に白色印刷層が存在し、当該白色印刷層の上に、カラー印刷層が存在しており、前記塗布された粘着剤の上に剥離紙が貼付されていることを特徴としている。
【０００９】
また、本考案に係るフェイスペイントシールは、前記基材の表面において、光反射抑制処理が施されていることも特徴としている。
【００１０】
さらに、本考案に係るフェイスペイントシールは、前記白色印刷層及び前記カラー印刷層双方の外縁すべてが、前記基材の外縁よりも、少なくとも１ｍｍ以上は内側に存在していることも特徴としている。
【考案の効果】
【００１１】
本考案によれば、救急絆創膏用の基材を使用し、これに直接カラー印刷を施すので、肌への影響を最小限に抑えることができることに加え、ツッパリ感等の違和感なく貼ることができ、肌に馴染んで見え、非常に鮮やかな色彩を放つことができ、インク臭さも無く、かつ、低廉に製作が可能なフェイスペイントシールを提供することができる。
【図面の簡単な説明】
【００１２】
【図１】本考案の実施形態に係るフェイスペイントシール１の外観図
【図２】フェイスペイントシール１の断面拡大図
【考案を実施するための形態】
【００１３】
以下、本考案に係るフェイスペイントシールを実施するための形態について、図面を参照しながら説明する。図１は、本実施形態に係るフェイスペイントシール１について、その表面側からの外観を示したものである。また、図２は、フェイスペイントシール１の断面を拡大して示したものである。
【００１４】
フェイスペイントシール１は、図２に示したように、基材２を中間として、その表面において白色印刷層３が存在し、その上にカラー印刷層４が存在している。さらに、カラー印刷層４の上には、透明コート層７が存在している。また、基材２の裏面において、粘着剤５が塗布されており、粘着剤５の上に剥離紙６が貼付されている。
【００１５】
ここで、基材２は、救急絆創膏用の素材と同じものによって構成されている。救急絆創膏とは、一般的には、単に「絆創膏」と呼ばれるものであって、医療従事者に限られず誰でも使用可能な傷ケア商品のことである。なお、このような救急絆創膏用基材の素材としては、ウレタン不織布、塩化ビニル、伸縮性綿布、スポンジシート、ウレタンフィルム、オレフィンフィルム等が挙げられる。
【００１６】
また、粘着剤５も、救急絆創膏用のものが塗布されている。救急絆創膏用の粘着剤としては、アクリル系粘着剤、ゴム系粘着剤、シリコーン系粘着剤等が挙げられる。
【００１７】
なお、本実施形態に係るフェイスペイントシール１においては、基材２の表面に白色印刷層３が存在し、その上にカラー印刷層４が存在している。これは、このような構成とすることで、カラー印刷された文字や画像等が、基材２の色の影響を受けずに、非常に鮮やかな色彩を放つという利点を享受できるからである。救急絆創膏用の素材は、肌色以外の色を有するものの入手が困難であることから、以上のような構成とすることが、鮮やかな色彩を放つフェイスペイントシール１を得る上でも非常に重要となる。
【００１８】
また、基材２の表面については、光反射抑制処理が施されていることが好ましい。光反射抑制処理が施されていないと、肌に貼ったフェイスペイントシール１が光を多く反射してしまい、肌に馴染んで見えないからである。なお、このような光反射抑制処理は、従来からの方法を適宜採用すれば良い。従来からの方法として、例えば、反射防止膜を施す処理や、微細凹凸を形成する処理等が存在している。また、基材２を格子状（網目状）に構成し、強度を確保しつつも、基材２が透光性を有するようにしても良い。このような構成とすることによって、基材２が肌の色を通し、フェイスペイントシール１が肌に馴染んで見えるという効果を享受することも可能である。
【００１９】
さらに、白色印刷層３及びカラー印刷層４については、その双方の外縁すべてが、基材２の外縁よりも、少なくとも１ｍｍ以上は内側に存在していることが好ましい。このような構成とすることで、両印刷層におけるインクが肌に触れてしまう恐れを最小限に抑えることができるからである。
【００２０】
そして、カラー印刷層４の上に存在している透明コート層７についても、上述した基材２の表面と同様に、光反射抑制処理が施されていることが好ましい。なお、この透明コート層７の存在によって、カラー印刷層４が覆われるため、カラー印刷層４に含まれるインクの匂いが発散せず、インク臭さを感じない製品を提供できるという利点も享受できる。
【産業上の利用可能性】
【００２１】
以上に述べたように、本考案によれば、救急絆創膏用の基材を使用し、これに直接カラー印刷を施すので、肌への影響を最小限に抑えることができることに加え、ツッパリ感等の違和感なく貼ることができ、肌に馴染んで見え、非常に鮮やかな色彩を放つことができ、インク臭さも無く、かつ、低廉に製作が可能なフェイスペイントシールを提供することができる。
【００２２】
なお、本考案に係る説明においては、便宜上、フェイスペイントシールという語を使用しているが、本考案に係るフェイスペイントシールは、顔以外の部分に貼付することも可能であり、顔以外の体の部分に貼付するペイントシールについても当然に含まれる。
【００２３】
また、本考案は、当然ながら、以上の実施形態で説明したフェイスペイントシールに限定されるものではない。さらに、本考案の範囲には、本考案の技術的思想が具現化されたものも含まれるものとする。
【符号の説明】
【００２４】
１：フェイスペイントシール、
２：基材、
３：白色印刷層、
４：カラー印刷層、
５：粘着剤、
６：剥離紙、
７：透明コート層
【図１】
0003223808.tif 000003
【図２】
0003223808.tif 000004